(57)【要約】      （修正有）【課題】構造を簡素化されたハンドヘルドの締め付け金具を提供する。【解決手段】移動軸１と取付け把手２と駆動把手３と第１締め付けブロックベース体４とを備える。移動軸１は取付け把手２と駆動把手３と第１締め付けブロックベース体４と作動プレート５と係止プレート６とを貫き、第１締め付けブロックベース体４と取付け把手２にはそれぞれ第１締め付けブロック４１と第２締め付けブロック２１とを設ける。さらに、駆動把手３は一体成形により取付け把手２に枢設し、上端は押し込み突起部を有し、取付け把手の内部に作動プレート５と係止プレート６とばね７とを収容すると共に、解放棒８に結合し、作動プレート５の上端側は駆動把手３の押し込み突起部３２と互いに押し合い、係止プレート６の下端部は解放棒８を引っかけて置き、駆動把手３の押圧によって素早く締め付けの目的を達成できる。【選択図】図３
0003182595.tif 000002
【実用新案登録請求の範囲】
【請求項１】
移動軸と、取付け把手と、駆動把手と、第１締め付けブロックベース体と、を備えるハンドヘルドの締め付け金具であって、
前記取付け把手は、一つ以上の作動プレートと、係止プレートと、ばねと、一つの解放棒とを備え、
前記移動軸は、それぞれ前記取付け把手と、前記駆動把手と、前記第１締め付けブロックベース体と、前記作動プレートと、前記係止プレートと、を合わせて貫き、
前記取付け把手は前記移動軸を貫くベース体であり、その上端部が延在して第２締め付けブロックを形成し、下端部が延在してグリップを形成し、
前記駆動把手は、一体成形の把手ベース体であり、その上端部に前記取付け把手と枢設態様の結合を形成する枢接穴を開けていて、かつ上端部の内側は一体成形した押し込み突起部を有し、中程の位置は前記移動軸を貫く穴部を開け、
前記第１締め付けブロックベース体は、前記移動軸を貫き結合していて、かつ第１締め付けブロックを設けられ、前記第１締め付けブロックと、前記取付け把手の前記第２締め付けブロックとを釣り合って対応され、
一つ以上の前記作動プレートは、前記移動軸の貫きに備えるとおり穴を有し、下端部は連結リブの貫き結合に提供する連結穴を設け、前記作動プレートは斜め向きに前記移動軸を貫き、その上端部は前記駆動把手の前記押し込み突起部にあてがい、
一つ以上の前記係止プレートの構造は前記作動プレートに類似し、前記移動軸の斜め向きの貫きを提供するとおり穴を有し、下端部は前記連結リブを合わせて貫き結合に備える連結穴を設け、下端部は解放棒に貼り合わせられ、
前述構成品からなるハンドヘルドの締め付け金具は、駆動把手の押圧によって、前記作動プレートのずれ移動を形成し、前記押し込み突起部を利用し直接に前記作動プレートを駆動して前記移動軸を移動させ、エネルギー貯蔵の態様を形成し、貯蔵されたエネルギーを放出するときは、解放棒を引くように押し込み、前記作動プレートと、前記係止プレートの角度をもとに戻して、前記作動プレートと前記係止プレートとの噛み合わせを解除した上、締め付け金具の貯蔵エネルギーを放出し、待機状態に戻すことができることを特徴とするハンドヘルドの締め付け金具。
【請求項２】
前記作動プレートまたは前記係止プレートの前記連結穴は逆Ｔ形穴を形成し、前記連結リブの両端部はそれぞれ延在して横型の階段プレートを形成し、中程の位置は小幅板を形成することを特徴とする、請求項１記載のハンドヘルドの締め付け金具。
【請求項３】
前記取付け把手は内壁の上側と下側にそれぞれ一つ以上のばね収容溝を設けていて、かつ前記ばね収容溝にそれぞればねを植え付けることを特徴とする、請求項１記載のハンドヘルドの締め付け金具。
【請求項４】
前記取付け把手のグリップは外壁に側壁穴を開けていて、かつ側壁穴の一側に枢接穴を形成し、前記解放棒を前記枢接穴に枢接し結合することを特徴とする、請求項１記載のハンドヘルドの締め付け金具。
【考案の詳細な説明】
【技術分野】
【０００１】
本考案はハンドヘルドの締め付け金具に関し、特に構造を簡素化されたハンドヘルドの締め付け金具に関する。
【背景技術】
【０００２】
公知の作業物の締め付け（または拡張）に提供するハンドヘルドの締め付け金具は、本考案者による特許文献１および同一内容を米国に出願し公告された特許文献２として挙げられる。これは、駆動把手は枢接軸とあてがい軸などの素子を結合して、類似連稈の組み合わせを形成することによって、駆動把手を凹圧し、２つの締め付けブロックを移動させるものである。
【先行技術文献】
【特許文献】
【０００３】
【特許文献１】中国特許２００８１０００６５１５．７号明細書
【特許文献２】米国特許第７，５１３，４９２号明細書
【考案の概要】
【考案が解決しようとする課題】
【０００４】
しかし、この種の構成品の数が多いため、組立が難しいほか、全体のコストも高い。
【０００５】
本考案の主な目的は、駆動把手の駆動構造を改善し、駆動把手を組み合わせるときの必要構成品を少なくし、コストダウン可能のほか、全体の組立がより簡単、高速化できるハンドヘルドの締め付け金具の設計を提供する。主に一体成形の駆動把手の上端部に押し込み突起部を形成することによって、駆動把手がよりコンパクト、簡単に製造できるほか、押し込み突起部を利用し、直接に作動プレートを駆動できる。さらに解放棒と組み合わせて、締め付け金具の貯蔵エネルギーの素早い放出を制御できる。これにより、全体の構成品を簡素化できると共に、組み合わせ便利などの長所を有する。
【０００６】
本考案次の目的は、作動プレートと、連結穴と、連結リブとの貫き組み合わせ構造によって、作動プレートの連結穴が逆Ｔ形穴を形成し、連結リブの両側はそれぞれ延在して横形の階段プレートを形成し、連結リブの中程の位置に小幅板を形成する。連結穴と連結リブとを貫いて組み合わせるときは、まず連結リブをまっすぐ連結穴に貫いてから、折り返してもとに戻すことによって、両端部に備える横型の階段プレートを連結穴に係止して置き、連結リブが連結穴の内部にて上下にはじけないように確保し、締め付け金具の異常を避けるハンドヘルドの締め付け金具の構造設計を提供する。
【課題を解決するための手段】
【０００７】
本考案は、主に移動軸と、取付け把手と、駆動把手と、第１締め付けブロックベース体と、を備える。移動軸は取付け把手と、駆動把手と、第１締め付けブロックベース体と、作動プレートと、係止プレートとを貫き、第１締め付けブロックベース体と取付け把手には、それぞれ第１締め付けブロックと、第２締め付けブロックとを設け、駆動把手は一体成形により取付け把手に枢設し、上端は押し込み突起部を有し、取付け把手の内部に作動プレートと、係止プレートと、ばねを収容すると共に、解放棒に枢設結合し、作動プレートの上端側は駆動把手の押し込み突起部と互いに押し合い、係止プレートの下端部は解放棒を引っかけて置き、駆動把手の押圧によって素早く挟み込みの目的を達成できる。
【考案の効果】
【０００８】
本考案は上記構成を有するものであるため、ハンドヘルドの締め付け金具の構造を簡素化することができると共に、その組立が簡単になり、全体のコストを低減することができるいう効果を奏する。
【図面の簡単な説明】
【０００９】
【図１】本考案の組合せ立体図である。
【図２】本考案の立体分解図である。
【図３】本考案の平時状態による組み合わせ断面図である。
【図４】本考案の作動状態による断面概略図である。
【図５】本考案の貯蔵エネルギーの放出状態による断面概略図である。
【考案を実施するための形態】
【００１０】
図１ないし３に示す本考案のハンドヘルドの締め付け金具は、主に移動軸１と、取付け把手２と、駆動把手３と、第１締め付けブロックベース体４と、を備える。取付け把手２の内部は一つ以上作動プレート５と、係止プレート６と、ばね７と、解放棒８とを配置されている。
【００１１】
そのうち、移動軸１は、それぞれ取付け把手２と、駆動把手３と、第１締め付けブロックベース体４と、作動プレートと、係止プレートと、を貫く。取付け把手２は移動軸１を貫くベース体であり、上端部を延在して第２締め付けブロック２１を形成し、下部端を延在してグリップ２２を形成する。移動軸１を貫く内壁の上側はばね収容溝２３、２４を設け、内壁の下側はもう一つのばね収容溝２５を設けると共に、グリップ２２の外壁に側壁穴２６を開け、側壁穴２６の一側は枢接穴２７を形成する。
【００１２】
駆動把手３は、一体成形の把手ベース体であり、その上端部に取付け把手２と枢設態様の結合を形成する枢接穴３１を開けていて、かつ上端部の内側は一体成形した押し込み突起部３２（図３を参照）を有し、中程の位置は前記移動軸を貫く穴部３３を開けられている。
【００１３】
第１締め付けブロックベース体４は、移動軸１を貫き結合していて、かつ第１締め付けブロック４１を設けられ、第１締め付けブロック４１は取付け把手２の第２締め付けブロック２１と釣り合って対応されている。
【００１４】
一つ以上の作動プレート５は硬質鋼片からなり、移動軸１の貫きに備えるとおり穴５１を有し、下端部は連結リブ５３の貫き結合に備える結合連結穴５２を設けられ、作動プレート５は斜め向きに移動軸１を貫き、上端部は駆動把手３の押し込み突起部３２に押し合い、押し込み突起部３２を利用して直接に作動プレート５の駆動に備える。
【００１５】
一つ以上の係止プレート６の構造は作動プレート５に類似し、移動軸１による斜め向きの貫きを提供するとおり穴６１を有し、下端部は連結リブ５３を合わせて貫き結合に備える連結穴６２を設け、係止プレート６の下端部は解放棒８に貼り付けられている。
【００１６】
一つ以上のばね７はそれぞれ取付け把手２のばね収容溝２３、２４、２５に植え付けていて、かつそれぞれ作動プレート５または係止プレート６にあてがう。
【００１７】
解放棒８は取付け把手２の枢接穴２７に枢接および結合し、その一端は側壁穴２６に露出し、他端は係止プレート６の下部端と引っかけ合う。
【００１８】
前述構成品からなるハンドヘルドの締め付け金具は、駆動把手の押圧によって、作動プレート５のずれ移動を形成し、押し込み突起部３２が直接に作動プレート５を駆動して、移動軸１を移動させ、エネルギー貯蔵（または拡張）の態様（図４を参照）を形成し、貯蔵されたエネルギーを放出するときは、解放棒８を軽く引きながら押圧して作動プレート５と、係止プレート６の角度をもとに戻して、作動プレート５と係止プレート６との噛み合わせを解除させ、締め付け金具の貯蔵エネルギー（図５を参照）を放出し、待機状態に戻すことができる。
【００１９】
本考案の設計によれば、ハンドヘルドの締め付け金具に必要な構成品が少なくなり、コストダウン可能なほか、全体の組立がより簡単、便利である。駆動把手３上端部に一体成形された押し込み突起部３２を利用すれば、直接に作動プレート５と係止プレート６を駆動し、解放棒８の使用のみで、締め付け金具の貯蔵エネルギーを素早く放出できる。全体の組立がよりコンパクトしており、構成品を簡素化と組立便利の進歩性を達成できる。
【００２０】
本考案の実施例において、ばね７は図示の圧縮ばね素子のほか、同じ道理に同等効果と働きを有する張力ばねを使用することもできる。これらは公知技術の簡単は置き換えに属し、当然として本案の等効果の実施と応用の範疇に含める。
【００２１】
本考案の実施例において、解放棒８はグリップ２２の外壁位置に取り付けられるほか、同じ道理に解放棒８をグリップ２２の内壁の位置に取り付けて、解放棒８が指部の引くように押し込みによって作動プレート５または係止プレート６を駆動し、締め付け金具を素早く解放の目的を達成できる。よって、解放棒８の取付け位置または簡単な同等効果による構造の改変も当然として本案の技術範疇に含める。
【００２２】
本考案において、作動プレート５または係止プレート６の連結穴５２、６２と、連結リブ５３との貫き結合は、実施例の図示とおり、作動プレート５（または係止プレート６）の連結穴５２（６２）は逆Ｔ形穴を形成した上、連結リブ５３の両端部にそれぞれ延在して横型の階段プレート５３１を形成すると共に、連結リブ５３の中程の位置は小幅板５３２を形成する。連結穴５２（６２）と連結リブ５３との貫き結合は、まず連結リブ５３を垂直方向より連結穴５２（６２）を貫いて延ばしてから、水平方向に折り返すことによって、両端部の階段プレート５３１を連結穴５２（６２）の底部に嵌め込み、自然係止の状態を形成し、階段プレート５３１を確実に連結穴５２（６２）に嵌め込み、上下にはじけることはない。よって、作動プレート５と係止プレート６の正常な操作機能を恒久的が維持される。
【００２３】
前述実施例に開示されたものは、本案の主な技術の応用説明にすぎず、本案の技術範疇に制限を加えるものでない。よって、等効果の応用または本案の技術に基づき簡単に変更を加えたものは、なお本案の技術範疇に含めるものとする。
【符号の説明】
【００２４】
１：移動軸
２：取付け把手
３：駆動把手
４：第１締め付けブロックベース体
５：作動プレート
６：係止プレート
７：ばね
８：解放棒
２１：第２締め付けブロック
２２：グリップ
２３：ばね収容溝
２４：ばね収容溝
２５：ばね収容溝
２６：側壁穴
２７：枢接穴
３１：枢接穴
３２：押し込み突起部
３３：穴部
４１：第１締め付けブロック
５１：通り穴
５２：連結穴
５３：連結リブ
５３１：階段プレート
５３２：小幅板
６１：通り穴
６２：連結穴
【図１】
0003182595.tif 000003
【図２】
0003182595.tif 000004
【図３】
0003182595.tif 000005
【図４】
0003182595.tif 000006
【図５】
0003182595.tif 000007